(57)【特許請求の範囲】
【請求項１】
ＡＴＭセルに対して分解組立処理を行うセル分解組立部と、パケットデータに対して複数種類の圧縮方式に対応した圧縮展開処理をそれぞれ行う複数の圧縮展開機能部と、前記セル分解組立部および前記圧縮展開機能部の間で、前記ＡＴＭセルに含まれる各パケットデータのプロファイルの通知を行うプロファイル通知部とからなる通信制御装置であって、
前記セル分解組立部は、
複数種類のプロファイルからなるプロファイル情報を記憶する第１の記憶手段と、
前記ＡＴＭセルを分解してパケットデータを抽出する抽出手段と、
前記第１の記憶手段によって記憶されている前記プロファイル情報に含まれる前記プロファイルの中から、前記抽出手段によって抽出された前記パケットデータに対応する種類のプロファイルを特定する特定手段と、
前記パケットデータを時間軸上で多重する第１の多重手段と、
前記第１の多重手段によって多重された前記パケットデータを送出する第１の送出手段と、
前記パケットデータに対応する前記プロファイルの種類を示すプロファイル種別データを時間軸上で多重する第２の多重手段と、
前記第２の多重手段によって多重された前記プロファイルの種類を示すプロファイル種別データを送出する第２の送出手段と
を備え、
前記プロファイル通知部は、
前記第１の記憶手段によって記憶された前記プロファイル情報と同一のプロファイル情報を記憶する第２の記憶手段と、
前記第１の送出手段によって送出された多重化された前記パケットデータを分離し、前記パケットデータを各圧縮展開機能部に供給する第１の供給手段と、
前記第２の送出手段によって送出された前記プロファイルの種類を示すプロファイル種別データに基づいて、前記パケットデータが各圧縮展開機能部の圧縮方式に対応するものであるか否かを示す有効データフラグを各圧縮展開機能部に供給する第２の供給手段と
を備え、
前記圧縮展開機能部は、
前記第２の供給手段によって供給された前記有効データフラグに基づいて、前記第１の供給手段によって供給された前記パケットデータに対して展開処理を行うか否かを決定する決定手段と、
前記決定手段の決定に応じて前記パケットデータに対して展開処理を行う展開処理手段と
を備え、
前記第１の供給手段は、前記第１の送出手段によって送出された多重化された前記パケットデータを分離し、前記パケットデータを前記パケットデータのパケット長に応じて前記圧縮展開機能部の対応する所定のものに供給し、
前記プロファイルには、前記プロファイルを識別するための識別情報と、所定の圧縮方法に対応するＵＵＩおよびパケット長と、前記圧縮方法を示す情報とが格納され、
前記圧縮展開機能部は、所定のデータを圧縮し、前記パケットデータを生成する圧縮処理手段をさらに備え、
前記圧縮処理手段は、前記所定のデータを圧縮し、前記パケットデータを生成するとき、前記パケットデータが有効であるか否かを示す有効データを生成し、前記プロファイル通知部を介して前記セル分解組立部に供給し、前記セル分解組立部は、前記有効データに基づいて、有効なパケットデータのみを用いてセルを組み立て、
前記圧縮展開機能部は、受信した前記パケットデータのうち、前記パケットデータのバイト数のクロック分だけ前記パケットデータに同期して送信されてきた前記有効データフラグの値が有効を示す値であるとき、その有効データフラグに対応する前記パケットデータに対して展開処理を行い、前記ＡＴＭセルを送出する場合、前記圧縮展開機能部が前記パケットデータを圧縮し、圧縮した前記パケットデータをパケットデータ多重分離部に送出し、前記パケットデータが有効であるか否かを示すパケットデータ有効信号をプロファイル種別有効フラグ多重分離部に送出し、
パケットデータ分離多重部は、前記圧縮展開機能部から送出された前記パケットデータを受信し、時間軸上で多重して前記セル分解組立部のパケットデータ送受インタフェースへ送出し、前記プロファイル種別有効データ多重分離部は、前記圧縮展開機能部から送出された前記パケットデータ有効信号を受信し、前記パケットデータ有効信号を、前記パケットデータに対応する前記プロファイル種別値とともに時間軸上で多重して、前記セル分解組立部へ送出し、
前記セル分解組立部は、前記パケットデータ多重分離部より送られてきた前記パケットデータと、前記プロファイル種別有効フラグ多重分離部から送られてきたプロファイル種別データをそれぞれ時間軸上で分離し、予めタイムスロット毎に対応して設定されたプロファイル種別値に対応するプロファイルに基づいて、前記パケットデータをＡＡＬ２セルとして組み立て、ＡＴＭ網へ送出する際、プロファイル種別有効フラグ多重分離部から送られてきた前記プロファイル種別値と、予め記憶されているプロファイルに基づいて前記パケットデータのデータ長などから算出したプロファイル種別値とを比較し、一致していない場合はそのパケットデータを廃棄する
ことを特徴とする通信制御装置。
【請求項２】
ＡＴＭセルに対して分解組立処理を行うセル分解組立部と、パケットデータに対して複数種類の圧縮方式に対応した圧縮展開処理をそれぞれ行う複数の圧縮展開機能部と、前記セル分解組立部および前記圧縮展開機能部の間で、前記ＡＴＭセルに含まれる各パケットデータのプロファイルの通知を行うプロファイル通知部とからなる通信制御装置における通信制御方法であって、
前記セル組立分解部は、
複数種類のプロファイルからなるプロファイル情報を記憶する第１の記憶ステップと、
前記ＡＴＭセルを分解してパケットデータを抽出する抽出ステップと、
前記第１の記憶ステップにおいて記憶された前記プロファイル情報に含まれる前記プロファイルの中から、前記抽出ステップにおいて抽出された前記パケットデータに対応する種類のプロファイルを特定する特定ステップと、
前記パケットデータを時間軸上で多重する第１の多重ステップと、
前記第１の多重ステップにおいて多重された前記パケットデータを送出する第１の送出ステップと、
前記パケットデータに対応する前記プロファイルの種類を示すプロファイル種別データを時間軸上で多重する第２の多重ステップと、
前記第２の多重ステップにおいて多重された前記プロファイルの種類を示すプロファイル種別データを送出する第２の送出ステップと
を備え、
前記プロファイル通知部は、
前記第１の記憶ステップにおいて記憶された前記プロファイル情報と同一のプロファイル情報を記憶する第２の記憶ステップと、
前記第１の送出ステップにおいて送出された多重化された前記パケットデータを分離し、前記パケットデータを各圧縮展開機能部に供給する第１の供給ステップと、
前記第２の送出ステップにおいて送出された前記プロファイルの種類を示すプロファイル種別データに基づいて、前記パケットデータが各圧縮展開機能部の圧方式に対応するものであるか否かを示す有効データフラグを各圧縮展開機能部に供給する第２の供給ステップと
を備え、
前記圧縮展開機能部は、
前記第２の供給ステップにおいて供給された前記有効データフラグに基づいて、前記第１の供給ステップにおいて供給された前記パケットデータに対して展開処理を行うか否かを決定する決定ステップと、
前記決定ステップにおける決定に応じて前記パケットデータに対して展開処理を行う展開処理ステップと
を備え、
前記第１の供給ステップにおいては、前記第１の送出ステップにおいて送出された多重化された前記パケットデータを分離し、前記パケットデータを前記パケットデータのパケット長に応じて前記圧縮展開機能部の対応する所定のものに供給し、
前記プロファイルには、前記プロファイルを識別するための識別情報と、所定の圧縮方法に対応するＵＵＩおよびパケット長と、前記圧縮方法を示す情報とが格納され、
前記圧縮展開機能部は、所定のデータを圧縮し、前記パケットデータを生成する圧縮処理ステップをさらに備え、
前記圧縮処理ステップにおいては、前記所定のデータを圧縮し、前記パケットデータを生成するとき、前記パケットデータが有効であるか否かを示す有効データを生成し、前記プロファイル通知部を介して前記セル分解組立部に供給し、前記セル分解組立部は、前記有効データに基づいて、有効なパケットデータのみを用いてセルを組み立て、
前記圧縮展開機能部は、受信した前記パケットデータのうち、前記パケットデータのバイト数のクロック分だけ前記パケットデータに同期して送信されてきた前記有効データフラグの値が有効を示す値であるとき、その有効データフラグに対応する前記パケットデータに対して展開処理を行い、前記ＡＴＭセルを送出する場合、前記圧縮展開機能部が前記パケットデータを圧縮し、圧縮した前記パケットデータをパケットデータ多重分離部に送出し、前記パケットデータが有効であるか否かを示すパケットデータ有効信号をプロファイル種別有効フラグ多重分離部に送出し、
パケットデータ分離多重部は、前記圧縮展開機能部から送出された前記パケットデータを受信し、時間軸上で多重して前記セル分解組立部のパケットデータ送受インタフェースへ送出し、前記プロファイル種別有効データ多重分離部は、前記圧縮展開機能部から送出された前記パケットデータ有効信号を受信し、前記パケットデータ有効信号を、前記パケットデータに対応する前記プロファイル種別値とともに時間軸上で多重して、前記セル分解組立部へ送出し、
前記セル分解組立部は、前記パケットデータ多重分離部より送られてきた前記パケットデータと、前記プロファイル種別有効フラグ多重分離部から送られてきたプロファイル種別データをそれぞれ時間軸上で分離し、予めタイムスロット毎に対応して設定されたプロファイル種別値に対応するプロファイルに基づいて、前記パケットデータをＡＡＬ２セルとして組み立て、ＡＴＭ網へ送出する際、プロファイル種別有効フラグ多重分離部から送られてきた前記プロファイル種別値と、予め記憶されているプロファイルに基づいて前記パケットデータのデータ長などから算出したプロファイル種別値とを比較し、一致していない場合はそのパケットデータを廃棄する
ことを特徴とする通信制御方法。
【請求項３】
請求項２に記載の通信制御方法を実行可能なプログラムが記録されているコンピュータ読み取り可能な記録媒体。
【発明の詳細な説明】
【０００１】
【発明の属する技術分野】
本発明は、通信制御装置および通信制御方法、並びに記録媒体に関し、特に、ＡＴＭ網を介してＡＡＬ２によって送受信される音声データや画像データを圧縮する圧縮回路を簡略化することができる通信制御装置および通信制御方法、並びに記録媒体に関する。
【０００２】
【従来の技術】
近年、ＡＴＭ（Ａｓｙｎｃｒｏｎｏｕｓ  Ｔｒａｎｓｆｅｒ  Ｍｏｄｅ）におけるＡＡＬ２（ＡＴＭ  Ａｄａｐｔａｔｉｏｎ  Ｌａｙｅｒ  ｔｙｐｅ２）のＳＡＲ（Ｓｅｇｍｅｎｔａｔｉｏｎ  Ａｎｄ  Ｒｅａｓｓｅｍｂｌｙ  Ｓｕｂｌａｙｅｒ）は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）化により多くのチャネルを収容することが可能となっている。
【０００３】
【発明が解決しようとする課題】
ところが、圧縮展開処理を行う部分は、ＤＳＰ（Ｄｉｇｉｔａｌ  Ｓｉｇｎａｌ  Ｐｒｏｃｅｓｓｏｒ）で実現されることが多く、例えば、６４ｋｂｐｓの音声チャネルの場合、１乃至４回線程度しか収容することができない。そのため、１個のＡＡＬ２  ＳＡＲ  ＬＳＩ（以下では、ＡＡＬ２−ＬＳＩと記載する）に、多数のＤＳＰが接続されることになる。その結果、回線データを時間軸上で多重分離する機能は必須である。
【０００４】
また、従来のＡＡＬ１／３／４／５では、圧縮展開機能を有する外部回路は１種類であったが、ＡＡＬ２では音声、テキスト、画像などの複数種類の情報を同時にＡＴＭセル化するため、外部の圧縮展開機能を有する回路（外部回路）の種類が複数になることが考えられる。
【０００５】
しかしながら、圧縮展開機能を有する外部回路をＤＳＰで実現する場合、内部受信データバッファを大きく取ることができない課題があった。これは、ＤＳＰには搭載メモリ量に制限があるからである。ＡＡＬ２−ＬＳＩなどは１チップで数十乃至数百の回線数を扱うものを作ることができるが、ＤＳＰは規模の制限から１チップあたり１乃至８程度の回線数しか扱えないため、ＤＳＰに外付けでメモリを搭載した場合に実装面積の制限を受ける。よって、ＤＳＰでは扱えるメモリ量は厳しく、内部受信データバッファを大きく取ることも困難だからである。
【０００６】
また、パケットデータのパケット長に基づいてパケット種別を識別する場合、パケットデータの受信完了までパケット長を取得することができない。このため、遅延時間が大きくなる。このため、データが音声の場合にはエコーキャンセリングの時間が長くなり、装置や網の構成が複雑になってしまう。即ち、パケットデータを監視してパケット長を得る従来の手法では、パケットデータの転送が完了するまでパケット長を取得することができず、データの遅延量が増大するとともに、回路構成が複雑になる。さらに、圧縮方式は異なるが圧縮した結果のパケット長が同一になる場合、パケット長で圧縮方式を判別する場合、判別不可能となる場合がある課題があった。
【０００７】
本発明はこのような状況に鑑みてなされたものであり、ＡＡＬ２  ＳＡＲに外部接続された圧縮展開機能を有する装置の回路規模を簡略化するとともに、迅速に圧縮展開できるようにするものである。
【０００８】
【課題を解決するための手段】
請求項１に記載の通信制御装置は、ＡＴＭセルに対して分解組立処理を行うセル分解組立部と、パケットデータに対して複数種類の圧縮方式に対応した圧縮展開処理をそれぞれ行う複数の圧縮展開機能部と、セル分解組立部および圧縮展開機能部の間で、ＡＴＭセルに含まれる各パケットデータのプロファイルの通知を行うプロファイル通知部とからなる通信制御装置であって、セル分解組立部は、複数種類のプロファイルからなるプロファイル情報を記憶する第１の記憶手段と、ＡＴＭセルを分解してパケットデータを抽出する抽出手段と、第１の記憶手段によって記憶されているプロファイル情報に含まれるプロファイルの中から、抽出手段によって抽出されたパケットデータに対応する種類のプロファイルを特定する特定手段と、パケットデータを時間軸上で多重する第１の多重手段と、第１の多重手段によって多重されたパケットデータを送出する第１の送出手段と、パケットデータに対応するプロファイルの種類を示すプロファイル種別データを時間軸上で多重する第２の多重手段と、第２の多重手段によって多重されたプロファイルの種類を示すプロファイル種別データを送出する第２の送出手段とを備え、プロファイル通知部は、第１の記憶手段によって記憶されたプロファイル情報と同一のプロファイル情報を記憶する第２の記憶手段と、第１の送出手段によって送出された多重化されたパケットデータを分離し、パケットデータを各圧縮展開機能部に供給する第１の供給手段と、第２の送出手段によって送出されたプロファイルの種類を示すプロファイル種別データに基づいて、パケットデータが各圧縮展開機能部の圧縮方式に対応するものであるか否かを示す有効データフラグを各圧縮展開機能部に供給する第２の供給手段とを備え、圧縮展開機能部は、第２の供給手段によって供給された有効データフラグに基づいて、第１の供給手段によって供給されたパケットデータに対して展開処理を行うか否かを決定する決定手段と、決定手段の決定に応じてパケットデータに対して展開処理を行う展開処理手段とを備え、第１の供給手段は、第１の送出手段によって送出された多重化されたパケットデータを分離し、パケットデータをパケットデータのパケット長に応じて圧縮展開機能部の対応する所定のものに供給し、プロファイルには、プロファイルを識別するための識別情報と、所定の圧縮方法に対応するＵＵＩおよびパケット長と、圧縮方法を示す情報とが格納され、圧縮展開機能部は、所定のデータを圧縮し、パケットデータを生成する圧縮処理手段をさらに備え、圧縮処理手段は、所定のデータを圧縮し、パケットデータを生成するとき、パケットデータが有効であるか否かを示す有効データを生成し、プロファイル通知部を介してセル分解組立部に供給し、セル分解組立部は、有効データに基づいて、有効なパケットデータのみを用いてセルを組み立て、圧縮展開機能部は、受信したパケットデータのうち、パケットデータのバイト数のクロック分だけパケットデータに同期して送信されてきた有効データフラグの値が有効を示す値であるとき、その有効データフラグに対応するパケットデータに対して展開処理を行い、ＡＴＭセルを送出する場合、圧縮展開機能部がパケットデータを圧縮し、圧縮したパケットデータをパケットデータ多重分離部に送出し、パケットデータが有効であるか否かを示すパケットデータ有効信号をプロファイル種別有効フラグ多重分離部に送出し、パケットデータ分離多重部は、圧縮展開機能部から送出されたパケットデータを受信し、時間軸上で多重してセル分解組立部のパケットデータ送受インタフェースへ送出し、プロファイル種別有効データ多重分離部は、圧縮展開機能部から送出されたパケットデータ有効信号を受信し、パケットデータ有効信号を、パケットデータに対応するプロファイル種別値とともに時間軸上で多重して、セル分解組立部へ送出し、セル分解組立部は、パケットデータ多重分離部より送られてきたパケットデータと、プロファイル種別有効フラグ多重分離部から送られてきたプロファイル種別データをそれぞれ時間軸上で分離し、予めタイムスロット毎に対応して設定されたプロファイル種別値に対応するプロファイルに基づいて、パケットデータをＡＡＬ２セルとして組み立て、ＡＴＭ網へ送出する際、プロファイル種別有効フラグ多重分離部から送られてきたプロファイル種別値と、予め記憶されているプロファイルに基づいてパケットデータのデータ長などから算出したプロファイル種別値とを比較し、一致していない場合はそのパケットデータを廃棄することを特徴とする。
請求項２に記載の通信制御方法は、ＡＴＭセルに対して分解組立処理を行うセル分解組立部と、パケットデータに対して複数種類の圧縮方式に対応した圧縮展開処理をそれぞれ行う複数の圧縮展開機能部と、セル分解組立部および圧縮展開機能部の間で、ＡＴＭセルに含まれる各パケットデータのプロファイルの通知を行うプロファイル通知部とからなる通信制御装置における通信制御方法であって、セル組立分解部は、複数種類のプロファイルからなるプロファイル情報を記憶する第１の記憶ステップと、ＡＴＭセルを分解してパケットデータを抽出する抽出ステップと、第１の記憶ステップにおいて記憶されたプロファイル情報に含まれるプロファイルの中から、抽出ステップにおいて抽出されたパケットデータに対応する種類のプロファイルを特定する特定ステップと、パケットデータを時間軸上で多重する第１の多重ステップと、第１の多重ステップにおいて多重されたパケットデータを送出する第１の送出ステップと、パケットデータに対応するプロファイルの種類を示すプロファイル種別データを時間軸上で多重する第２の多重ステップと、第２の多重ステップにおいて多重されたプロファイルの種類を示すプロファイル種別データを送出する第２の送出ステップとを備え、プロファイル通知部は、第１の記憶ステップにおいて記憶されたプロファイル情報と同一のプロファイル情報を記憶する第２の記憶ステップと、第１の送出ステップにおいて送出された多重化されたパケットデータを分離し、パケットデータを各圧縮展開機能部に供給する第１の供給ステップと、第２の送出ステップにおいて送出されたプロファイルの種類を示すプロファイル種別データに基づいて、パケットデータが各圧縮展開機能部の圧方式に対応するものであるか否かを示す有効データフラグを各圧縮展開機能部に供給する第２の供給ステップとを備え、圧縮展開機能部は、第２の供給ステップにおいて供給された有効データフラグに基づいて、第１の供給ステップにおいて供給されたパケットデータに対して展開処理を行うか否かを決定する決定ステップと、決定ステップにおける決定に応じてパケットデータに対して展開処理を行う展開処理ステップとを備え、第１の供給ステップにおいては、第１の送出ステップにおいて送出された多重化されたパケットデータを分離し、パケットデータをパケットデータのパケット長に応じて圧縮展開機能部の対応する所定のものに供給し、プロファイルには、プロファイルを識別するための識別情報と、所定の圧縮方法に対応するＵＵＩおよびパケット長と、圧縮方法を示す情報とが格納され、圧縮展開機能部は、所定のデータを圧縮し、パケットデータを生成する圧縮処理ステップをさらに備え、圧縮処理ステップにおいては、所定のデータを圧縮し、パケットデータを生成するとき、パケットデータが有効であるか否かを示す有効データを生成し、プロファイル通知部を介してセル分解組立部に供給し、セル分解組立部は、有効データに基づいて、有効なパケットデータのみを用いてセルを組み立て、圧縮展開機能部は、受信したパケットデータのうち、パケットデータのバイト数のクロック分だけパケットデータに同期して送信されてきた有効データフラグの値が有効を示す値であるとき、その有効データフラグに対応するパケットデータに対して展開処理を行い、ＡＴＭセルを送出する場合、圧縮展開機能部がパケットデータを圧縮し、圧縮したパケットデータをパケットデータ多重分離部に送出し、パケットデータが有効であるか否かを示すパケットデータ有効信号をプロファイル種別有効フラグ多重分離部に送出し、パケットデータ分離多重部は、圧縮展開機能部から送出されたパケットデータを受信し、時間軸上で多重してセル分解組立部のパケットデータ送受インタフェースへ送出し、プロファイル種別有効データ多重分離部は、圧縮展開機能部から送出されたパケットデータ有効信号を受信し、パケットデータ有効信号を、パケットデータに対応するプロファイル種別値とともに時間軸上で多重して、セル分解組立部へ送出し、セル分解組立部は、パケットデータ多重分離部より送られてきたパケットデータと、プロファイル種別有効フラグ多重分離部から送られてきたプロファイル種別データをそれぞれ時間軸上で分離し、予めタイムスロット毎に対応して設定されたプロファイル種別値に対応するプロファイルに基づいて、パケットデータをＡＡＬ２セルとして組み立て、ＡＴＭ網へ送出する際、プロファイル種別有効フラグ多重分離部から送られてきたプロファイル種別値と、予め記憶されているプロファイルに基づいてパケットデータのデータ長などから算出したプロファイル種別値とを比較し、一致していない場合はそのパケットデータを廃棄することを特徴とする。
請求項３に記載のコンピュータ読み取り可能な記録媒体は、請求項２に記載の通信制御方法を実行可能なプログラムが記録されていることを特徴とする。
【０００９】
【発明の実施の形態】
本発明は、ＡＴＭ（Ａｓｙｎｃｒｏｎｏｕｓ  Ｔｒａｎｓｆｅｒ  Ｍｏｄｅ）Ａｄａｐｔａｔｉｏｎ  Ｌａｙｅｒ  ｔｙｐｅ２（ＡＡＬ２）のセル分解組立機能（ＳＡＲ（Ｓｅｇｍｅｎｔａｔｉｏｎ  Ａｎｄ  Ｒｅａｓｓｅｍｂｌｙ  Ｓｕｂｌａｙｅｒ））を実行する場合において、ＡＴＭ網から到着したＡＴＭセルを分解してパケットデータとして出力する際に、パケットデータに対応するプロファイル種別と有効データフラグを外部に通知することにより、パケットデータの情報（圧縮方式やデータ長、有効なデータか否かを示す情報）を即時に取得可能とし、外部回路の簡略化を図ることを目的としている。
【００１０】
図１は、本発明を応用した一実施の形態の原理的構成例を示すブロック図である。同図に示すように、本実施の形態は、ＡＴＭ網１１に対してＡＴＭセルを組み立てて送出するとともに、ＡＴＭ網１１から送信されてきたＡＴＭセルを受信し、パケットデータを取り出すＡＡＬ２  ＳＡＲ１０と、異なる圧縮方式でパケットデータを圧縮展開する圧縮展開機能部１２，１３，１４と、パケットデータの多重分離処理を行うパケットデータ多重分離部１５と、プロファイル種別及び有効データフラグの多重分離処理を行うプロファイル種別有効フラグ多重分離部１６とにより構成されている。
【００１１】
また、ＡＡＬ２  ＳＡＲ１０は、パケットデータ送受インタフェース１０ａを有し、ＡＴＭ網１１を介して送信されてきた各パケットデータを時間軸上で多重し、パケットデータ多重分離部１５に供給するようになっている。また、ＡＡＬ２  ＳＡＲ１０は、プロファイル種別送受インタフェース１０ｂを有し、各パケットデータに対応するプロファイル種別値を時間軸上で多重し、プロファイル種別有効フラグ多重分離部１６に供給するようになっている。
【００１２】
ＡＡＬ２  ＳＡＲ１０のパケットデータ送受インタフェース１０ａは、パケットデータ多重分離部１５に接続され、さらに、パケットデータ多重分離部１５を介して圧縮展開機能部１２のパケットデータインタフェース１２ａ、圧縮展開機能部１３のパケットデータインタフェース１３ａ、圧縮展開機能部１４のパケットデータインタフェース１４ａにそれぞれ個別に接続されている。
【００１３】
パケットデータ多重分離部１５は回線データ振り分け部１５ａを備えており、回線データ振り分け部１５ａは、時間軸上でのタイムスロットに多重されたパケットデータを分離し、各パケットデータ毎に圧縮展開機能部１２，１３，１４の対応するものにそれぞれ供給する多重分離処理を実行するようになっている。或いは、各パケットデータを圧縮展開機能部１２，１３，１４にそれぞれ供給するようになっている。
【００１４】
ＡＡＬ２  ＳＡＲ１０のプロファイル種別送受インタフェース１０ｂは、プロファイル種別有効フラグ多重分離部１６に接続され、さらにプロファイル種別有効フラグ多重分離部１６を介して圧縮展開機能部１２のパケットデータ有効信号インタフェース１２ｂ、圧縮展開機能部１３のパケットデータ有効信号インタフェース１３ｂ、圧縮展開機能部１４のパケットデータ有効信号インタフェース１４ｂにそれぞれ個別に接続されている。
【００１５】
圧縮展開機能部１２のパケットデータ有効信号インタフェース１２ｂ、圧縮展開機能部１３のパケットデータ有効信号インタフェース１３ｂ、圧縮展開機能部１４のパケットデータ有効信号インタフェース１４ｂがそれぞれ受信又は送信するパケットデータ有効信号（有効データフラグ）は、受信したパケットデータが有効であり、展開対象であること、また、送信するパケットデータが有効であることをそれぞれ表す。
【００１６】
プロファイル種別有効フラグ多重分離部１６は、プロファイルの時間軸上での多重分離と、プロファイル種別に基づいて、圧縮展開機能部１２，１３，１４の対応するものへ有効データフラグを供給するようになっている。
【００１７】
図２に、プロファイルの構成例を示す。同図に示すように、この例ではｎ個のプロファイル２０を設定している。各プロファイル２０のプロファイル種別値設定フィールド２１には、プロファイル種別値がそれぞれ設定されており、この値はユーザが独自に設定した値である。さらに、ＣＰＳパケットヘッダを構成するＵＵＩ（Ｕｓｅｒ−ｔｏ−Ｕｓｅｒ  Ｉｎｄｉｃａｔｉｏｎ）やパケットデータのパケット長（ＬＩ）等を設定するフィールドには、対応するＵＵＩ、ＬＩがそれぞれ設定されている。このプロファイル２０は、例えば、ＡＡＬ２  ＳＡＲ１０、パケットデータ多重分離部１５、及びプロファイル種別有効フラグ多重分離部１６等の図示せぬメモリに格納されている。
【００１８】
ＡＡＬ２  ＳＡＲ１０は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄ  ｉｚａｔｉｏｎ  Ｓｅｃｔｏｒ）  Ｉ．３６６．２に従ったプロファイル２０の設定を行うが、各プロファイル２０には、上述したように、ＵＵＩ、パケット長（ＬＩ）などに加えて、任意のプロファイル種別値を設定する。このプロファイル種別値を格納するフィールドの大きさは、最大でもプロファイル種別の個数ｎが表現できるビット幅で良く、複数のプロファイル２０で同一の値を設定することも可能である。
【００１９】
一般に、ＡＡＬ２は、圧縮されたパケットデータを扱うことを目的としている。また、ＡＡＬ２は、複数のパケット長のパケットデータを扱うことができる。このため、ＡＡＬ２では可変長の圧縮方式で圧縮されたパケットデータや、複数の圧縮方式で圧縮されたパケットデータを同時に扱うことが可能である。
【００２０】
パケットデータに対する圧縮展開処理は、ＡＡＬ２  ＳＡＲ１０ではなく、外部回路（圧縮展開機能部１２，１３，１４）で実現することになる。ＡＡＬ２  ＳＡＲ１０と外部回路とのインタフェースは、主にＡＡＬ２  ＳＡＲ１０がＬＳＩにより実現されるため、ＬＳＩのピン数不足などの要因により、上記の複数の方式で圧縮されたパケットデータを時間軸上で多重する方法が用いられることになる。即ち、ＡＡＬ２  ＳＡＲ１０は、１又は複数の圧縮方式で圧縮された複数種類のパケットデータを時間軸上で多重し、外部回路に供給することになる。
【００２１】
しかし、外部回路である、圧縮展開機能を有する圧縮展開機能部１２，１３，１４は、それぞれ、通常、１種類程度の圧縮方式をサポートするにすぎない。このため、複数種類の圧縮方式を装置がサポートする場合は、複数種類の圧縮方式にそれぞれ対応した複数の圧縮展開機能部１２，１３，１４を搭載することになる。
【００２２】
上述したように、パケットデータへの圧縮展開を行う圧縮展開機能部１２，１３，１４は、複数種類の圧縮方式で圧縮展開されたパケットデータが時間軸上で多重されたデータを受信するため、圧縮展開機能部１２，１３，１４は、それぞれ自分自身がサポートする圧縮方式でない他の圧縮方式のパケットデータも受信することになる。従って、圧縮展開機能部１２，１３，１４には、それぞれ自分自身が扱うべきパケットデータのみを処理し、他の圧縮方式で圧縮されたパケットデータを廃棄する機能が必要となる。
【００２３】
圧縮方式に応じてパケットデータのパケット長が異なる場合は、パケット長に基づいて圧縮方式を判別することも可能である。ところが、ＡＡＬ２ではＵＵＩにより同一パケット長のパケットデータも区別して送受することが可能であるため、パケット長が同一であっても圧縮方式が異なる場合があり、その場合にはパケット長のみを用いて圧縮方式を判別することが不可能となる。そこで、パケットデータに独自の識別子を付与することも考えられるが、汎用の圧縮展開回路を利用した場合、外部回路が複雑になるため望ましくない。
【００２４】
ＡＡＬ２ではＵＵＩとパケット長（ＬＩ）を含めたパケット種別をプロファイルにより管理している。このため、このプロファイルの種別を示すプロファイル種別値をパケットデータとは個別に外部に通知し、それを元にパケットデータを、圧縮展開機能部１２，１３，１４の対応する圧縮方式で圧縮展開を行うものに振り分けることにより、圧縮展開機能部１２，１３，１４での判別処理の簡略化を実現することができる。
【００２５】
また、パケットデータの有効／無効を示すフラグ（有効データフラグ（パケットデータ有効信号））を出力することにより、有効なデータのみを外部の圧縮展開機能部１２，１３，１４の対応するものが処理するようにすることもできる。
【００２６】
このようにして、ＡＡＬ２  ＳＡＲ１０は、プロファイル種別有効フラグ多重分離部１６にプロファイル種別値を供給し、プロファイル種別有効フラグ多重分離部１６を介して、外部の圧縮展開機能部１２，１３，１４の対応するものへパケットデータの有効／無効を示す有効データフラグを通知することにより、ＡＴＭトラフィックを圧迫することなく、プロファイル種別多重分離部１５による圧縮展開機能部１２，１３，１４へのパケットデータの振り分けと、そのためのパケットデータの判別処理を簡略化することができる。
【００２７】
次に、図１に示した実施の形態の動作について説明する。まず、図２に示すように、ＩＴＵ−Ｔ  Ｉ．３６６．２に従って、ＵＵＩ、ＬＩ等の設定値をプロファイル２０に設定する。また、この際に、プロファイル２０毎に任意のプロファイル種別値０乃至（ｎ−１）を設定する。
【００２８】
ＡＡＬ２  ＳＡＲ１０は、ＡＴＭ網１１から到着したＡＡＬ２フォーマットのＡＴＭセルを受信し、ＡＡＬ２勧告のＩＴＵ−Ｔ  Ｉ．３６３．２とＩＴＵ−ＴＩ．３６６．２に従った処理により、プロファイル２０の判別を行い、パケットデータを取り出す。
【００２９】
ＡＡＬ２  ＳＡＲ１０は、パケットデータのプロファイル２０を、ＵＵＩとＬＩに基づいて識別する。例えば、以下のようなプロファイル２０を定義していたとする。ここで、最初の符号Ａ乃至Ｆは、プロファイル種別値を表し、次の数字はＵＵＩを表し、次の数字はパケット長（ＬＩ）を表している。そして、最後の文字列は圧縮方法を表している。
【００３０】
Ａ    ０〜７        ４０        Ｇ．７１１−６４  Ａ−ｌａｗ
Ｂ    ０〜７        ３５        Ｇ．７１１−５６  Ａ−ｌａｗ
Ｃ    ０〜７          １        Ｇｅｎｅｒｉｃ  ＳＩＤ
Ｄ    ８〜１５      ４０        Ｇ．７１１−６４  μ−ｌａｗ
Ｅ    ８〜１５      ３５        Ｇ．７１１−５６  μ−ｌａｗ
Ｆ    ８〜１５        １        Ｇｅｎｅｒｉｃ  ＳＩＤ
【００３１】
Ａ，Ｂ，Ｃは、あるＤＳＰ（例えば、圧縮展開機能部１２）により処理されるグループの圧縮結果であり、Ｄ，Ｅ，Ｆは、別のＤＳＰ（例えば、圧縮展開機能部１３）により処理されるグループの圧縮結果である。つまり、Ｇ．７１１  Ａ−ｌａｗの圧縮方式のＤＳＰ（例えば、圧縮展開機能部１２）と、Ｇ．７１１−μ−ｌａｗの圧縮方式のＤＳＰ（例えば、圧縮展開機能部１３）があり、プロファイル種別値がＡ，Ｂ，Ｃならば、Ａ−ｌａｗのＤＳＰ（例えば、圧縮展開機能部１２）、Ｄ，Ｅ，Ｆならばμ−ｌａｗのＤＳＰ（例えば、圧縮展開機能部１３）にパケットデータを送出することになる。
【００３２】
この場合、ＵＵＩの値により、同じ４０オクテットのパケットでもＡかＤかの判別が可能である。ＡＡＬ２  ＳＡＲ１０は、外部に繋がるＤＳＰの種別に依存しない汎用のＬＳＩにより構成されるので、外部でＡ，Ｂ，ＣなのかＤ，Ｅ，Ｆなのかを判別することになる。その場合、ＡＡＬ２  ＳＡＲ１０は、ＵＵＩとＬＩをパケットデータと一緒に送出し、外部回路でＵＵＩとＬＩに応じて各ＤＳＰに振り分けることになる。ただし、その場合、プロファイルの判別をＡＡＬ２  ＳＡＲ１０と、外部振り分け回路（パケットデータ多重分離部１５等）の２個所で行うことになり、遅延が大きくなる。ＡＡＬ２では音声や画像などの遅延が品質に大きく影響する用途が主のため、本実施の形態では、プロファイル種別をＡＡＬ２  ＳＡＲ１０で判別し、その結果（つまり、プロファイル種別値がＡ乃至Ｆのどれなのかという情報）をパケットデータと一緒に送出することにより、外部の振り分け回路（パケットデータ多重分離部１５等）の簡略化と遅延の減少を実現することができる。
【００３３】
このパケットデータは、パケットデータ送受インタフェース１０ａから時間軸上で多重された後、出力され、パケットデータ多重分離部１５に供給される。パケットデータ多重分離部１５は、プロファイル２０の対応するものに基づいてこのパケットデータの分離処理を行い、該当する圧縮展開機能部１２，１３，１４の対応するものへ各パケットデータを送出する。例えば、パケット長に応じて圧縮展開機能部１２，１３，１４の対応するものに各パケットデータを送出する。或いは、各パケットデータを全ての圧縮展開機能部１２，１３，１４にそれぞれ送出する。
【００３４】
また、ＡＡＬ２  ＳＡＲ１０は、判別したプロファイル２０に格納されているプロファイル種別値を、プロファイル種別送受インタフェース１０ｂから時間軸上で多重して送出し、プロファイル種別有効フラグ多重分離部１６に供給する。プロファイル種別有効フラグ多重分離部１６は、このプロファイル種別値の分離処理を行い、該当する圧縮展開機能部１２，１３，１４の対応するものへパケットデータ有効信号を送出する。圧縮展開機能部１２，１３，１４は、受信したパケットデータに対して、対応するパケットデータ有効信号が有効な場合のみ展開処理を行う。即ち、パケットデータのバイト数のクロック分だけ有効データフラグがパケットデータに同期して送信される（パケットデータのバイト数のクロック分アサートされる）。その場合、例えば、１が有効、０が無効とする。従って、各圧縮展開機能部１２，１３，１４は、有効データフラグの値が１の場合、その有効データフラグに対応するパケットデータに対して展開処理を行う。
【００３５】
一方、それとは逆に、ＡＴＭ網１１へＡＴＭセルを送出する場合は、圧縮展開機能部１２，１３，１４でパケットデータを圧縮し、圧縮したパケットデータをパケットデータ多重分離部１５に送出し、パケットデータが有効であるか否かを示すパケットデータ有効信号をプロファイル種別有効フラグ多重分離部１６に送出する。例えば、ＡＡＬ２では、音声データや画像データを可変長圧縮する用途について想定されている。音声データの場合、非圧縮では１０ミリ秒（ｍｓ）あたり８０バイトであるが、これをＧ．７２９−Ｂで圧縮すると、圧縮された音声に対応する２０バイトのパケットデータ、無音の始まりを示す２バイトのパケットデータ、パケット無し（無音時はパケットを生成しない）となる。つまり、１０ｍｓ毎に上記３種類のデータとなり、例えば、一定のクロックに同期してこれらのデータが送出されることになる。そして、音声に対応する２０バイトのパケットデータに対しては、パケットデータ有効信号が２０クロック分アサートされる。２バイトの無音の開始を示すパケットデータに対しては、パケットデータ有効信号が２クロック分アサートされる。即ち、データのバイト数のクロック数分だけ有効長を示す信号（パケットデータ有効信号）がデータに同期して送出される。アサートとは、１が有効で０が無効の正論理の場合、１にすることをいう。また、０にすることはネゲートという。
【００３６】
例えば、１０ｍｓのデータが８ｂｉｔ幅・４０クロックとなるような転送であるとすると、４０ｂｙｔｅ／１０ｍｓのデータはパケットデータ有効信号が４０クロック分アサートされる。２０ｂｙｔｅ／１０ｍｓでは２０クロック分アサートされ、２ｂｙｔｅ／１０ｍｓでは２クロック分アサートされる。パケットが無しの場合はアサートされない。このように、パケットデータ有効信号のアサートされたクロック数でパケット長が表される。
【００３７】
パケットデータ分離多重部１５は、圧縮展開機能部１２，１３，１４から送出されたパケットデータを受信し、時間軸上で多重してＡＡＬ２  ＳＡＲ１０のパケットデータ送受インタフェース１０ａへ送出する。また、プロファイル種別有効データ多重分離部１６は、圧縮展開機能部１２，１３，１４から送出されたパケットデータ有効信号を受信し、このパケットデータ有効信号を、プロファイル２０のプロファイル種別値設定フィールド２１に設定されたこのパケットデータに対応するプロファイル種別値とともに時間軸上で多重して、ＡＡＬ２  ＳＡＲ１０へ送出する。
【００３８】
ＡＡＬ２  ＳＡＲ１０は、パケットデータ多重分離部１５より送られてきたパケットデータと、プロファイル種別有効フラグ多重分離部１６から送られてきたプロファイル種別値をそれぞれ時間軸上で分離し、予めタイムスロット毎に対応して設定されたプロファイル種別値に対応するプロファイル２０に基づいて、上記パケットデータをＡＡＬ２セルとして組み立て、ＡＴＭ網１１へ送出する。この際、プロファイル種別有効フラグ多重分離部１６から送られてきたプロファイル種別値と、予め記憶されているプロファイル２０に基づいてパケットデータのデータ長などから算出したプロファイル種別値とを比較し、一致していない場合はそのパケットデータを廃棄し、ＡＡＬ２セルへの組み立て処理の対象としない。
【００３９】
以上説明したように、圧縮展開機能部１２，１３，１４が、それぞれ、それ自身が処理可能なパケットデータと、それ自身が処理を行わない（処理できない）パケットデータの判別ができない場合、又は多重された形式のデータを処理できない場合、ＡＡＬ２  ＳＡＲ１０と圧縮展開機能部１２，１３，１４以外の外部の回路で振り分け処理を行うことになるが、この振り分け処理では、判別材料として、ＡＡＬ２  ＳＡＲ１０から通知されるプロファイル種別、及び有効データフラグが使用される。これにより、振り分け処理を行うパケットデータ多重分離部１５の回路規模を軽減し、回路構成を簡略化することができる。
【００４０】
また、パケット長に基づいてパケット種別を判別する従来の手法と比較すると、本実施の形態の方法では、プロファイル種別送受インタフェース１０ｂを、パケットデータ送受インタフェース１０ａとパラレルにする等の手法で、パケットデータのプロファイル種別、有効／無効を即時に通知することが可能である。つまり即時の振り分けが可能となる。
【００４１】
また、本実施の形態では、圧縮方式は異なるが圧縮した結果としてのパケットデータのパケット長が同一になる場合でも、プロファイル種別が通知されるので、パケットデータの圧縮方式を判別することができる。
【００４２】
また、パケットデータの判別を行うときに、プロファイル種別値の他に有効データフラグを併用することで、圧縮展開機能部１２，１３，１４のそれぞれに対して、有効なパケットデータのみを振り分けることが可能となり、圧縮展開機能部１２，１３，１４の回路構成の簡略化が可能となる。
【００４３】
また、複数のパケット長のパケットデータを扱う圧縮展開機能部１２，１３，１４が搭載される場合でも、プロファイル２０のプロファイル種別値設定フィールド２１に同一のプロファイル種別値を設定することにより、異なるパケット長のパケットデータを圧縮展開機能部１２，１３，１４のうちの同一のものにそれぞれ送出することができる。
【００４４】
さらに、本実施の形態では、ＡＴＭ網１１へ送信されるＡＡＬ２セル、及びＡＡＬ２セルに含まれるパケットデータへは影響しないので、本実施の形態の機能を装備しないＡＡＬ２処理装置との間でも、問題なく通信が可能である。
【００４５】
また、ＡＴＭ網１１へＡＡＬ２セルを組み立てて送信する場合にも、プロファイル種別多重分離部１６が圧縮展開機能部１２，１３，１４からのパケットデータ有効信号を受信して、プロファイル２０に設定したプロファイル種別値に基づいて、パケットデータに対応するプロファイル種別値をＡＡＬ２  ＳＡＲ１０に送信し、ＡＡＬ２  ＳＡＲ１０は、受信したパケットデータから判別したプロファイル２０に格納されたプロファイル種別値と、受信したプロファイル種別値とを比較し、不一致の場合はパケットデータを廃棄することで、圧縮展開機能部１２，１３，１４の誤動作によるパケットデータの異常送出を防止することが可能となるとともに、ＡＡＬ２  ＳＡＲ１０内部の受信パケットデータ振り分け処理回路の簡略化が可能となる。
【００４６】
また、パケットデータ多重分離部１５と、プロファイル種別有効フラグ多重分離部１６を一体化することにより、ＡＡＬ２  ＳＡＲ１０から送られてきた各パケットデータの有効なものを、圧縮展開機能部１２，１３，１４のうち、各パケットデータの圧縮方式に対応するものにそれぞれ供給するようにすることができる。即ち、パケットデータ多重分離部１５は、プロファイル種別有効フラグ多重分離部１６が受信したプロファイル種別値に基づいて、ＡＡＬ２  ＳＡＲ１０から送られてきた各パケットデータを、圧縮展開機能部１２，１３，１４のうち、各パケットデータの圧縮方式に対応するものにそれぞれ供給することができる。その場合、圧縮展開機能部１２，１３，１４は、それぞれの圧縮方式に従って、パケットデータ多重分離部１５から供給されたパケットデータを展開するだけでよい。
【００４７】
また、上述したような処理を実行するプログラムは、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、フロッピーディスク、メモリカード等の様々な記録媒体に記録して提供することができる。そして、そのプログラムは各部の動作を制御し、プログラム制御された各部が上記プログラムにより指令される所定の処理を実行する。
【００４８】
なお、上記実施の形態の構成及び動作は例であって、本発明の趣旨を逸脱しない範囲で適宜変更することができることは言うまでもない。
【００４９】
【発明の効果】
以上の如く、本発明に係る通信制御装置および通信制御方法、並びに記録媒体によれば、セル組立分解部は、複数種類のプロファイルからなるプロファイル情報を記憶し、ＡＴＭセルを分解してパケットデータを抽出し、記憶されたプロファイル情報に含まれるプロファイルの中から、抽出されたパケットデータに対応する種類のプロファイルを特定し、パケットデータを時間軸上で多重し、多重されたパケットデータを送出し、パケットデータに対応するプロファイルの種類を示すプロファイル種別データを時間軸上で多重し、多重されたプロファイルの種類を示すプロファイル種別データを送出し、プロファイル通知部は、セル分解組立部によって記憶されたプロファイル情報と同一のプロファイル情報を記憶し、送出された多重化されたパケットデータを分離し、パケットデータを各圧縮展開機能部に供給し、送出されたプロファイルの種類を示すプロファイル種別データに基づいて、パケットデータが各圧縮展開機能部の圧縮方式に対応するものであるか否かを示す有効データフラグを各圧縮展開機能部に供給し、圧縮展開機能部は、有効データフラグに基づいて、パケットデータに対して展開処理を行うか否かを決定し、この決定に応じてパケットデータに対して展開処理を行う。また、送出された多重化されたパケットデータを分離し、パケットデータをパケットデータのパケット長に応じて圧縮展開機能部の対応する所定のものに供給し、プロファイルには、プロファイルを識別するための識別情報と、所定の圧縮方法に対応するＵＵＩおよびパケット長と、圧縮方法を示す情報とが格納され、圧縮展開機能部は、所定のデータを圧縮し、パケットデータを生成する圧縮処理を行い、この圧縮処理においては、所定のデータを圧縮し、パケットデータを生成するとき、パケットデータが有効であるか否かを示す有効データを生成し、プロファイル通知部を介してセル分解組立部に供給し、セル分解組立部は、有効データに基づいて、有効なパケットデータのみを用いてセルを組み立て、圧縮展開機能部は、受信したパケットデータのうち、パケットデータのバイト数のクロック分だけパケットデータに同期して送信されてきた有効データフラグの値が有効を示す値であるとき、その有効データフラグに対応するパケットデータに対して展開処理を行い、ＡＴＭセルを送出する場合、圧縮展開機能部がパケットデータを圧縮し、圧縮したパケットデータをパケットデータ多重分離部に送出し、パケットデータが有効であるか否かを示すパケットデータ有効信号をプロファイル種別有効フラグ多重分離部に送出し、パケットデータ分離多重部は、圧縮展開機能部から送出されたパケットデータを受信し、時間軸上で多重してセル分解組立部のパケットデータ送受インタフェースへ送出し、プロファイル種別有効データ多重分離部は、圧縮展開機能部から送出されたパケットデータ有効信号を受信し、パケットデータ有効信号を、パケットデータに対応するプロファイル種別値とともに時間軸上で多重して、セル分解組立部へ送出し、セル分解組立部は、パケットデータ多重分離部より送られてきたパケットデータと、プロファイル種別有効フラグ多重分離部から送られてきたプロファイル種別データをそれぞれ時間軸上で分離し、予めタイムスロット毎に対応して設定されたプロファイル種別値に対応するプロファイルに基づいて、パケットデータをＡＡＬ２セルとして組み立て、ＡＴＭ網へ送出する際、プロファイル種別有効フラグ多重分離部から送られてきたプロファイル種別値と、予め記憶されているプロファイルに基づいてパケットデータのデータ長などから算出したプロファイル種別値とを比較し、一致していない場合はそのパケットデータを廃棄するようにしたので、セル分解組立部に外部接続された圧縮展開機能部の回路規模を簡略化するとともに、迅速に圧縮展開できるようにすることができる。
【図面の簡単な説明】
【図１】本発明を応用した一実施の形態の構成例を示すブロック図である。
【図２】プロファイルの構成例を示す図である。
【符号の説明】
１０  ＡＡＬ２  ＳＡＲ
１０ａ  パケットデータ送受インタフェース
１０ｂ  プロファイル種別送受インタフェース
１１  ＡＴＭ網
１２，１３，１４  圧縮展開機能部
１２ａ，１３ａ，１４ａ  パケットデータインタフェース
１２ｂ，１３ｂ，１４ｂ  パケットデータ有効信号インタフェース
１５  パケットデータ多重分離部
１５ａ  回線データ振り分け部
１６  プロファイル種別有効フラグ多重分離部
２０  プロファイル
２１  プロファイル種別値設定フィールド
【図１】
0003601440.tif 000002
【図２】
0003601440.tif 000003